(57)【要約】【課題】複数の暖房装置に熱媒体を供給でき、コストダウン可能な暖房システムを提供する。【解決手段】熱源装置１０１に、熱媒体を暖房用熱交換器２８で加熱しながら液体循環ポンプ６の駆動により循環させる液体循環通路５と、暖房用熱交換器２８を加熱する暖房用バーナ１６と、暖房用バーナ１６の燃焼制御と液体循環ポンプ６の駆動制御を含む動作制御用の制御装置を設け、該制御装置と信号接続されていない信号非接続の暖房装置（戻り温水ファンユニット１）を含む複数の暖房装置（温水マット１０等）を液体循環通路５に接続する。熱源装置１０１は、液体循環ポンプ６を駆動したときに、その負荷の値を検出し、検出された負荷の値に基づき前記暖房装置の何れの暖房装置が稼働しているかを判断し、暖房装置の稼働状況に対応させて稼動している暖房装置に前記熱媒体を供給する。【選択図】図２
2016080288.tif 000002
【特許請求の範囲】
【請求項１】
液体の熱媒体を循環させる液体循環ポンプと、該液体循環ポンプの駆動によって循環する熱媒体の加熱用の暖房用熱交換器とが設けられた液体循環通路と、前記暖房用熱交換器を加熱するバーナと、該バーナの燃焼制御と前記液体循環ポンプの駆動制御を含む動作制御用の制御装置とを備えた熱源装置を有し、前記液体循環通路には前記制御装置と信号接続されていない信号非接続の暖房装置を含む複数の暖房装置が接続されており、前記熱源装置には、前記液体循環ポンプを駆動したときに該液体循環ポンプの負荷の値を直接的または間接的に検出する負荷値検出手段と、該負荷値検出手段により検出された負荷の値に基づき前記暖房装置の何れの暖房装置が稼働しているかを判断する稼働暖房装置判断手段と、該稼働暖房装置判断手段により判断された暖房装置の稼働状況に対応させて稼動している暖房装置に前記熱媒体を供給する熱媒体供給制御手段とが設けられていることを特徴とする暖房システム。
【請求項２】
暖房用熱交換器はバーナの燃焼により発生する燃焼ガスの顕熱を回収するメインの熱交換器と、該メインの熱交換器の上流側に設けられて前記燃焼ガスから潜熱を回収する潜熱回収用熱交換器とを有しており、液体循環通路に接続されている複数の暖房装置のうち少なくとも２つの暖房装置は互いに直列に接続されていて、該直列に接続されている暖房装置のうち上流側の暖房装置により放熱した液体の熱を下流側の暖房装置によりさらに放熱してから前記潜熱回収用熱交換器に導入することを特徴とする請求項１記載の暖房システム。
【請求項３】
直列に接続されている暖房装置のうち下流側の暖房装置の少なくとも一つは信号非接続の暖房装置により形成されていることを特徴とする請求項２記載の暖房システム。
【請求項４】
信号非接続の暖房装置には該暖房装置の上流側に直列に接続されている暖房装置を通さずに液体循環通路から熱媒体を導入する熱媒体直接導入通路が接続され、前記信号非接続の暖房装置には前記熱媒体直接導入通路から前記信号非接続の暖房装置に熱媒体を導入する経路と該暖房装置の上流側に直列に接続されている暖房装置を通った熱媒体を前記信号非接続の暖房装置に導入する経路とを切り替える経路切り替え手段が設けられていることを特徴とする請求項３記載の暖房システム。
【請求項５】
信号非接続の暖房装置は、熱交換器と、該熱交換器に導入される熱媒体の温度を検出する導入熱媒体温度検出手段と、該導入熱媒体温度検出手段の検出温度に基づいて前記信号非接続の暖房装置と直列に接続されている暖房装置の稼動の有無を判断し該判断結果に基づいて経路切り替え手段による経路の切り替えを制御する経路切り替え制御手段とを有することを特徴とする請求項４記載の暖房システム。
【請求項６】
信号非接続の暖房装置は、ケースと、該ケース内に収納された熱交換器と放熱ファンとを有し、前記ケースには前記放熱ファンによりケース内に空気を導入する吸気口と、該ケース内に導入された空気を該ケースから導出する送風口とが設けられ、該送風口形成位置を除く前記ケースの少なくとも一部は家屋の壁の中に埋め込まれて配置され、前記ケース内において前記放熱ファンは前記送風口近傍に設けられ前記熱交換器は前記壁の面方向に前記放熱ファンと並ぶ態様で該放熱ファンよりは前記送風口から離れた位置に設けられていることを特徴とする請求項１乃至請求項５のいずれか一つに記載の暖房システム。
【請求項７】
暖房用熱交換器の入側の液体温度を検出する暖房入側温度検出手段と、前記暖房用熱交換器の出側の液体温度を検出する暖房出側温度検出手段とを有し、該暖房出側温度検出手段の検出温度と前記暖房入側温度検出手段の検出温度とバーナの燃焼熱量とに基づいて液体循環通路を流れる液体の流量を求める液体流量検出手段を有し、負荷値検出手段は液体循環ポンプを駆動したときの該液体循環ポンプの負荷の値を前記液体流量検出手段により検出される液体の流量に基づいて間接的に検出することを特徴とする請求項１乃至請求項６のいずれか一つに記載の暖房システム。
【発明の詳細な説明】
【技術分野】
【０００１】
本発明は、例えば床暖房等の暖房装置とトイレや洗面所等の狭小空間用の暖房装置に暖房用の熱媒体を供給可能な暖房システムに関するものである。
【背景技術】
【０００２】
従来、例えば床暖房等の輻射式の暖房装置に暖房用の熱媒体を供給し、その暖房装置から熱媒体の熱を放熱することによって、暖房装置が配設されている空間の空気を暖める暖房システム等の暖房システムが用いられている。このような暖房システムは、例えば暖房用の液体の熱媒体を循環させる液体循環通路を備えた熱源装置に、液体循環通路を介して暖房装置を接続して形成されている。液体循環通路には、液体の熱媒体を循環させる液体循環ポンプと、該液体循環ポンプの駆動によって循環する熱媒体の加熱用の暖房用熱交換器とが設けられ、熱源装置には前記暖房用熱交換器を加熱するための例えばバーナ（バーナ装置）等の加熱手段が設けられる。
【０００３】
また、熱源装置には、前記バーナの燃焼制御と前記液体循環ポンプの駆動制御を含む動作制御用の制御装置とが設けられ、該制御装置と前記暖房装置とが有線の信号線を用いて信号接続されている。そして、暖房装置の運転時（稼働時）には、その信号を熱源装置の制御装置が受信し、熱源装置から前記液体循環通路を通して液体の熱媒体が暖房装置に供給されるようにしている。
【先行技術文献】
【特許文献】
【０００４】
【特許文献１】特開２０１４−７７６０５号公報
【発明の概要】
【発明が解決しようとする課題】
【０００５】
ところで、近年、トイレや洗面所等の狭小空間用に小型の暖房装置を配設する需要が増えつつある。しかしながら、このような暖房装置を含め、熱源装置に接続される全ての暖房装置を有線の信号線で熱源装置と接続すると、暖房システムのコストアップにつながるといった問題があった。なお、信号接続を無線によって行うことも考えられるが、暖房装置の配設場所によっては無線による信号接続は良好に行えない可能性もあり、本発明者は、熱源装置と暖房装置とが通信を行わなくても良好に暖房が行える暖房システムの開発が重要であると考えた。
【０００６】
本発明は、上記課題を解決するためになされたものであり、その目的は、例えばトイレや洗面所等の狭小空間用の暖房装置等を熱源装置と信号接続しなくても、その暖房装置に適宜、暖房用の熱媒体を供給可能で、コストダウンが可能な暖房システムを提供することにある。
【課題を解決するための手段】
【０００７】
本発明は上記目的を達成するために、次の構成をもって課題を解決する手段としている。すなわち、第１の発明は、液体の熱媒体を循環させる液体循環ポンプと、該液体循環ポンプの駆動によって循環する熱媒体の加熱用の暖房用熱交換器とが設けられた液体循環通路と、前記暖房用熱交換器を加熱するバーナと、該バーナの燃焼制御と前記液体循環ポンプの駆動制御を含む動作制御用の制御装置とを備えた熱源装置の前記液体循環通路に、前記制御装置と信号接続されていない信号非接続の暖房装置を含む複数の暖房装置が接続されており、前記熱源装置には、前記液体循環ポンプを駆動したときに該液体循環ポンプの負荷の値を直接的または間接的に検出する負荷値検出手段と、該負荷値検出手段により検出された負荷の値に基づき前記暖房装置のうち何れの暖房装置が稼働しているかを判断する稼働暖房装置判断手段と、該稼働暖房装置判断手段により判断された暖房装置の稼働状況に対応させて稼動している暖房装置に前記熱媒体を供給する熱媒体供給制御手段とが設けられている構成をもって課題を解決するための手段としている。
【０００８】
また、第２の発明は、前記第１の発明の構成に加え、前記暖房用熱交換器はバーナの燃焼により発生する燃焼ガスの顕熱を回収するメインの熱交換器と、該メインの熱交換器の上流側に設けられて前記燃焼ガスから潜熱を回収する潜熱回収用熱交換器とを有しており、液体循環通路に接続されている複数の暖房装置のうち少なくとも２つの暖房装置は互いに直列に接続されていて、該直列に接続されている暖房装置のうち上流側の暖房装置により放熱した液体の熱を下流側の暖房装置によりさらに放熱してから前記潜熱回収用熱交換器に導入することを特徴とする。
【０００９】
さらに、第３の発明は、前記第２の発明の構成に加え、前記直列に接続されている暖房装置のうち下流側の暖房装置の少なくとも一つは信号非接続の暖房装置により形成されていることを特徴とする。
【００１０】
さらに、第４の発明は、前記第３の発明の構成に加え、前記信号非接続の暖房装置には該暖房装置の上流側に直列に接続されている暖房装置を通さずに液体循環通路から熱媒体を導入する熱媒体直接導入通路が接続され、前記信号非接続の暖房装置には前記熱媒体直接導入通路から前記信号非接続の暖房装置に熱媒体を導入する経路と該暖房装置の上流側に直列に接続されている暖房装置を通った熱媒体を前記信号非接続の暖房装置に導入する経路とを切り替える経路切り替え手段が設けられていることを特徴とする。
【００１１】
さらに、第５の発明は、前記第４発明の構成に加え、前記信号非接続の暖房装置は、熱交換器と、該熱交換器に導入される熱媒体の温度を検出する導入熱媒体温度検出手段と、該導入熱媒体温度検出手段の検出温度に基づいて前記信号非接続の暖房装置と直列に接続されている暖房装置の稼動の有無を判断し該判断結果に基づいて経路切り替え手段による経路の切り替えを制御する経路切り替え制御手段とを有することを特徴とする。
【００１２】
さらに、第６の発明は、前記第１乃至第５のいずれか一つの発明の構成に加え、前記信号非接続の暖房装置は、ケースと、該ケース内に収納された熱交換器と放熱ファンとを有し、前記ケースには該ケース内に空気を導入する吸気口と、該ケース内に導入された空気を該ケースから導出する送風口とが設けられ、該送風口形成位置を除く前記ケースの少なくとも一部は家屋の壁の中に埋め込まれて配置され、前記ケース内において前記放熱ファンは前記送風口近傍に設けられ、前記熱交換器は前記壁の面方向に前記放熱ファンと並ぶ態様で該放熱ファンよりは前記送風口から離れた位置に設けられていることを特徴とする。
【００１３】
さらに、第７の発明は、前記第１乃至第６のいずれか一つの発明の構成に加え、暖房用熱交換器の入側の液体温度を検出する暖房入側温度検出手段と、前記暖房用熱交換器の出側の液体温度を検出する暖房出側温度検出手段とを有し、該暖房出側温度検出手段の検出温度と前記暖房入側温度検出手段の検出温度とバーナの燃焼熱量とに基づいて液体循環通路を流れる液体の流量を求める液体流量検出手段を有し、負荷値検出手段は液体循環ポンプを駆動したときの該液体循環ポンプの負荷の値を前記液体流量検出手段により検出される液体の流量に基づいて間接的に検出することを特徴とする。
【発明の効果】
【００１４】
本発明の暖房システムにおいて、熱源装置は、液体の熱媒体を循環させる液体循環ポンプと、該液体循環ポンプの駆動によって循環する熱媒体の加熱用の暖房用熱交換器とが設けられた液体循環通路と、前記暖房用熱交換器を加熱するバーナと、該バーナの燃焼制御と前記液体循環ポンプの駆動制御を含む動作制御用の制御装置とを備えており、前記液体循環通路に複数の暖房装置が接続されているので、これらの暖房装置に前記熱媒体を供給する機能を備えているが、前記複数の暖房装置のうち少なくとも一つは熱源装置の制御装置と信号接続されていない信号非接続の暖房装置である。
【００１５】
そのため、この信号非接続の暖房装置と熱源装置の制御装置とが信号のやりとりを行うことはできないが、熱源装置には、前記液体循環ポンプを駆動したときに該液体循環ポンプの負荷の値を直接的または間接的に検出する負荷値検出手段と、該負荷値検出手段により検出された負荷の値に基づき前記暖房装置のうち何れの暖房装置が稼働しているかを判断する稼働暖房装置判断手段が設けられているので、例えば前記信号非接続の暖房装置が稼働すれば、その稼働によって生じる（または変化する）液体循環ポンプの負荷の値に基づいて、熱源装置が暖房装置の稼働を把握できる。
【００１６】
そして、熱源装置の熱媒体供給制御手段による制御により、暖房装置の稼働状況に対応させて、稼動している信号非接続の暖房装置にも熱源装置から熱媒体を供給することができ、熱媒体が供給された暖房装置による暖房を行うことができる。
【００１７】
このように、本発明によれば、熱源装置に信号非接続の暖房装置を設けても、支障なく暖房を行うことができることに加え、少なくとも一つの暖房装置を信号非接続の暖房装置とすることによりコストダウンを図ることができる。
【００１８】
なお、負荷値検出手段は、液体循環ポンプの負荷を直接的または間接的に検出するものであるが、例えば液体循環ポンプの駆動電圧や駆動電流を検出することによって液体循環ポンプの負荷を直接的に検出するようにすると、容易に、かつ、正確に液体循環ポンプの負荷を検出することができる。
【００１９】
また、暖房用熱交換器をバーナの燃焼により発生する燃焼ガスの顕熱を回収するメインの熱交換器と、該メインの熱交換器の上流側に設けられて前記燃焼ガスから潜熱を回収する潜熱回収用熱交換器とを設けて形成すると暖房システムの熱効率を向上させることができる上に、液体循環通路に接続されている複数の暖房装置のうち少なくとも２つの暖房装置を互いに直列に接続し、前記直列に接続されている暖房装置のうち上流側の暖房装置により放熱した液体の熱を下流側の暖房装置によりさらに放熱してから前記潜熱回収用熱交換器に導入することにより、前記潜熱回収用熱交換器の熱効率を向上させることができ、暖房システムの効率をさらに向上させることができる。
【００２０】
なお、暖房装置のうち温水マット等の床暖房装置や浴室暖房機（浴室暖房乾燥機）等は従来から熱源装置に有線によって信号接続されて用いられてきている。そして、例えば床暖房装置はリビング等の広い空間を温めるために、室内が冷えているときには高温の熱媒体を供給して一気に温め、その後は室内が冷えているときに供給される高温の熱媒体よりは低めの温度の熱媒体を供給するといったような制御が行われてきており、また、浴室暖房機等にも例えば浴室乾燥ができるような高温の熱媒体を供給する制御が行われてきているものである。それに対し、トイレや洗面所等の狭小空間用の暖房装置は、狭小空間を温められればよいため、高温の熱媒体の供給は行えなくてもよいか、行う場合でもその時間は短時間で済む。
【００２１】
そこで、例えばこのような狭小空間用の暖房装置を、直列に接続されている暖房装置のうち下流側の暖房装置とすれば、床暖房装置や浴室暖房機等を通って放熱された後の温度が低めの熱媒体を下流側に接続された狭小空間用の暖房装置に導入して放熱することにより、熱媒体の熱の有効利用を行うことができる。また、床暖房装置や浴室暖房機等を通った熱媒体を直接潜熱回収用熱交換器に導入するよりも、狭小空間用の暖房装置に導入して放熱してから潜熱回収用熱交換器に導入することによって、前記の如く潜熱回収用熱交換器の熱効率を向上させることができるので、暖房システムの効率向上も行うことができ、非常に有効である。
【００２２】
さらに、このような狭小空間用の暖房装置を信号非接続の暖房装置とすれば、従来の床暖房装置や浴室暖房機等への熱媒体供給制御方法等を活かした上で、狭小空間用の暖房装置による狭小空間の暖房も有効に行うことができるので、直列接続された暖房装置の下流側の暖房装置の少なくとも一つを信号非接続の暖房装置により形成することにより、このような利点を有する暖房システムを容易に構築できる。
【００２３】
さらに、直列接続された信号非接続の暖房装置に、該暖房装置の上流側に直列に接続されている暖房装置を通さずに液体循環通路から熱媒体を導入する熱媒体直接導入通路を接続し、前記信号非接続の暖房装置には前記熱媒体直接導入通路から前記信号非接続の暖房装置に熱媒体を導入する経路と該暖房装置の上流側に直列に接続されている暖房装置を通った熱媒体を前記信号非接続の暖房装置に導入する経路とを切り替える経路切り替え手段を設けることにより、例えば信号非接続の暖房装置に直列接続された上流側の暖房装置が稼働していない場合に、経路切り替え手段の制御によって、液体循環通路からの熱媒体を熱媒体直接導入通路を通して信号非接続の暖房装置に直接導入することができる。
【００２４】
そのため、場合に応じて経路切り替え手段を制御し、信号非接続の暖房装置と直列接続された上流側の暖房装置を介して信号非接続の暖房装置に熱媒体を供給したり、熱媒体直接導入通路を通して液体循環通路から信号非接続の暖房装置に熱媒体を供給したりすることができ、信号非接続の暖房装置に直列接続された上流側の暖房装置が稼働していない場合であっても信号非接続の暖房装置による暖房を良好に行うことができ、より一層快適な暖房が可能な暖房システムとすることができる。
【００２５】
さらに、信号非接続の暖房装置に、該信号非接続の暖房装置の熱交換器に導入される熱媒体の温度を検出する導入熱媒体温度検出手段を設け、経路切り替え制御手段が、導入熱媒体温度検出手段の検出温度に基づいて信号非接続の暖房装置と直列に接続されている暖房装置の稼動の有無を判断し、該判断結果に基づいて経路切り替え手段による経路の切り替えを制御することにより、信号非接続の暖房装置と直列に接続されている暖房装置の稼動の有無を信号非接続の暖房装置側で独自に的確に判断できる。したがって、その判断に基づき経路切り替え手段による経路切り替えを適切に行うことができる。
【００２６】
さらに、信号非接続の暖房装置を、ケースと、該ケース内に収納された熱交換器と放熱ファンとを設けて形成し、前記ケースには前記放熱ファンによりケース内に空気を導入する吸気口と、該ケース内に導入された空気を該ケースから導出する送風口とを設け、該送風口形成位置を除く前記ケースの少なくとも一部を家屋の壁の中に埋め込んで配置することにより、例えば狭小空間用の暖房装置等として適用される信号非接続の暖房装置を、例え狭いスペースであってもスペースの利用を妨げることなく配置でき、見栄えも良好にできる。なお、信号非接続の暖房装置が広い空間に配置される暖房装置であっても同様の効果を奏することができる。
【００２７】
そして、前記ケース内において、前記放熱ファンを前記送風口近傍に設け、前記熱交換器は前記壁の面方向に前記放熱ファンと並ぶ態様で該放熱ファンよりは前記送風口から離れた位置に設けることにより、ケースにおける家屋の壁の面と交わる方向の長さが短くても（ケースの送風口形成位置側から見た場合の奥行きが狭くても）配設できるので、例えば信号非接続の暖房装置の前記送風口形成位置を除く大部分を家屋の壁内に埋め込む態様で設けることもでき、前記のように、暖房装置が設けられる空間の利用スペースを妨げることなく、見栄えも良好にでき、使い勝手も良好にできる。
【００２８】
さらに、暖房用熱交換器の入側の液体温度を検出する暖房入側温度検出手段と、前記暖房用熱交換器の出側の液体温度を検出する暖房出側温度検出手段とを設け、該暖房出側温度検出手段の検出温度と前記暖房入側温度検出手段の検出温度とバーナの燃焼熱量とに基づいて液体循環通路を流れる液体の流量を求めてこの流量値に基づいて、負荷値検出手段が液体循環ポンプを駆動したときの該液体循環ポンプの負荷の値を検出するようにすると、液体循環ポンプの駆動電圧や駆動電流の検出を行わなくても、暖房用熱交換器の入側の液体温度検出値と出側の液体温度検出値と前記燃焼熱量とから液体循環ポンプの負荷を間接的に、実質的に適切な値を検出でき、その検出値に基づき前記各効果を発揮することができる。
【図面の簡単な説明】
【００２９】
【図１】本発明に係る暖房システムの一実施例の要部制御構成を示すブロック図である。
【図２】実施例の暖房システムのシステム構成を模式的に示す説明図である。
【図３】実施例の暖房システムにおいて戻り温水ファンユニットに設けられている経路切り替え手段の切り替えに伴う熱媒体の通過経路を説明するための模式的な説明図である。
【図４】戻り温水ファンユニットの要部構成例をその配置態様例と共に模式的に示すための断面説明図である。
【図５】戻り温水ファンユニットに設けられる床下側配置のフィルタの配置構成例を説明するための模式的な断面図（ａ）と模式的な分解斜視図（ｂ）である。
【図６】戻り温水ユニットの家屋内における配設例を模式的に示す断面説明図である。
【図７】実施例の暖房システムの戻り温水ファンユニット側の動作例を説明するためのフローチャートである。
【図８】実施例の暖房システムの戻り温水ファンユニット側の動作例を図７に続いて説明するためのフローチャートである。
【図９】実施例の暖房システムの熱源装置側の動作例を説明するためのフローチャートである。
【図１０】他の実施例の暖房システムに設けられている戻り温水ファンユニットの経路切り替え手段の切り替えに伴う熱媒体の通過経路を説明するための模式的な説明図である。
【図１１】実施例の暖房システムにおいて戻り温水ファンユニットに直接熱媒体を導入する通路を省略した場合の、戻り温水ファンユニットにおける経路切り替え手段を説明するための模式図である。
【図１２】戻り温水ファンユニットのその他の実施例を、その配置態様例と共に模式的に示すための説明図である。
【発明を実施するための形態】
【００３０】
以下、本発明の実施の形態を図面に基づき説明する。
【実施例】
【００３１】
図２には、本発明に係る暖房システムの一実施例のシステム構成が示されている。同図において、熱源装置１０１の器具ケース４２内には燃焼室２４，２５が設けられており、燃焼室２４内には、暖房用熱交換器２８（２８ａ，２８ｂ）と、暖房用バーナ１６と、暖房用バーナ１６の燃焼の給排気を行なう燃焼ファン１８とが設けられている。暖房用バーナ１６は、暖房用熱交換器２８を加熱することにより該暖房用熱交換器２８を通る液体を加熱する加熱手段として機能する。
【００３２】
また、燃焼室２５内には、給湯バーナ１７と、給湯バーナ１７により加熱される給湯熱交換器２９（２９ａ，２９ｂ）と、給湯バーナ１７の燃焼の給排気を行なう燃焼ファン１９とが設けられている。熱交換器２８ｂ、２９ｂは排気ガス中の顕熱を回収するメインの熱交換器であり、熱交換器２８ａ、２９ａは排気ガス中の潜熱を回収する潜熱回収用熱交換器である。熱交換器２８ａ、２９ａはそれぞれ、熱交換器２８ｂ、２９ｂの上流側に設けられる。
【００３３】
潜熱回収用熱交換器においてはドレンが発生するので、熱交換器２８ａ，２９ａの下側にドレン回収手段（ドレン受け部）１３９が設けられ、このドレン回収手段１３９によって回収されるドレンは、ドレン排出通路７５を通してドレン中和器７６に導入され、ドレン中和器７６で中和された後に、ドレン排出通路７７を通って熱源装置１０１の外部（ドレン排出通路７７の先端部が接続されている排水口等）に導かれる。
【００３４】
暖房用バーナ１６および給湯バーナ１７には、それぞれのバーナ１６，１７に燃料を供給するガス管３１，３２が接続されている。ガス管３１，３２は、ガス管３０から分岐形成されており、ガス管３０には、元電磁弁８０が設けられている。また、給湯バーナ１７および暖房用バーナ１６は、それぞれ複数段の燃焼面を持ち、暖房用バーナ１６の各燃焼面に供給される燃料の量が、ガス管３１に介設された比例弁８６の開弁量と電磁弁８１，８２の開閉制御（燃料の供給や停止）により調節され、給湯バーナ１７の各燃焼面に供給される燃料の量が、ガス管３２に介設された比例弁８７の開弁量と電磁弁８３，８４，８５の開閉制御（燃料の供給や停止）により調節される。
【００３５】
前記給湯熱交換器２９ａの入口側には給水通路８８が設けられており、給水通路８８には、給水通路８８を流れる湯水の量を検出することにより給湯の水量を検出する流量検出手段７３と入水温度を検出する入水温度センサ７４と、給湯流量を可変するため水量サーボ７８が設けられている。また、給水通路８８には、接続通路５７と補給水電磁弁４６を介して、前記液体循環通路５が接続されている。給湯熱交換器２９ｂの出口側には給湯通路２６が設けられており、給湯通路２６の先端側は、適宜の給湯先に導かれている。
【００３６】
また、給湯通路２６と給水通路８８とを、給湯交換器２９を介さずに接続するバイパス通路７０が設けられ、バイパス通路７０の給水通路８８との接続部には、バイパス流量弁としてのバイパスサーボ５８が設けられている。給湯通路２６には、バイパス通路７０の形成部よりも下流側に出湯湯温検出センサ１１３が設けられ、給湯熱交換器２９側に出湯湯温検出センサ１１４が設けられている。
【００３７】
また、前記暖房用熱交換器２８（２８ａ，２８ｂ）は、シスターンタンク１００と、液体の熱媒体を循環させる液体循環ポンプ６とを備えた液体循環通路５に設けられており、暖房用熱交換器２８（２８ａ，２８ｂ）は、液体循環ポンプ６の駆動によって循環する熱媒体の加熱用の暖房用熱交換器として機能する。シスターンタンク１００の一部は大気開放と成しており、また、シスターンタンク１００には、例えば液体の体積膨張等によってシスターンタンク１００から溢れた液体のオーバーフロー通路５３が接続されて、オーバーフロー通路５３の先端部は熱源装置１０１の外部（排水口等）に導かれている。
【００３８】
液体循環通路５は、器具ケース４２内に設けられた管路８９，９０，９１，９２，９３，９４，９５，９６，９７，９８，９９と、器具ケース４２の外部に設けられた外部通路の管路３９，４０，４１，４３，４４，４５，５９とを有し、管路９８には低温能力切り替え熱動弁４７が設けられている。管路９８に接続されている管路９２は暖房用熱交換器２８ｂの出側に設けられており、管路９２には暖房用熱交換器２８ｂを通って導出される液体の温度を検出する暖房出側温度検出手段としての暖房高温サーミスタ３３が設けられている。また、暖房用熱交換器２８ｂの入側の管路９１には、暖房用熱交換器２８ｂに導入される液体の温度を検出する暖房入側温度検出手段としての暖房低温サーミスタ３６が設けられている。
【００３９】
なお、熱源装置１０１には、往管１４と戻り管１５を有する追い焚き循環路１３を介して浴槽２７が接続されており、この追い焚き循環路１３は、熱交換器７を介して前記液体循環通路５と熱的に接続されている。熱交換器７は追い焚き循環路１３と液体循環通路５の管路８９との液―液熱交換器により形成された浴槽湯水追い焚き用の熱交換器であり、管路８９の熱交換器７への入口側には流量制御弁３８が設けられている。追い焚き循環路１３には、浴槽湯水を循環させる浴槽湯水循環ポンプ２０が設けられ、熱交換器７は浴槽湯水循環ポンプ２０の駆動によって追い焚き循環路１３を循環し、液体循環通路５を通る（循環する）液体との熱交換によって浴槽湯水を加熱する構成と成している。
【００４０】
また、追い焚き循環路１３には、浴槽湯水の温度を検出する風呂温度センサ２１と、浴槽湯水の水位を検出する水位センサ２２と、追い焚き循環路１３の水流を検知する風呂水流スイッチ３４とが設けられている。浴槽湯水循環ポンプ２０の吸入口側に、戻り管１５の一端側が接続され、戻り管１５の他端側が循環金具５６を介して浴槽２７に連通接続されている。浴槽湯水循環ポンプ２０の吐出口側には、往管１４の一端側が接続され、往管１４の他端側は循環金具５６を介して浴槽２７に連通接続されている。
【００４１】
前記給湯通路２６には、分岐通路７０の形成部および出湯湯温検出センサ１１３の配設部よりも下流側に、管路５４を介して注湯水ユニット５５が接続されており、注湯水ユニット５５には風呂用注湯導入通路２３の一端側が接続され、風呂用注湯導入通路２３の他端側は、前記浴槽湯水循環ポンプ２０に接続されている。注湯水ユニット５５には、湯張り電磁弁４８、湯張り水量センサ４９、逆止弁５０ａ，５０ｂが設けられている。なお、給湯熱交換器２９から給湯通路２６と管路５４、注湯水ユニット５５、風呂用注湯導入通路２３、浴槽湯水循環ポンプ２０、熱交換器７、往管１４を順に通って浴槽２７に至るまでの通路によって、湯張りや注水を行うための湯張り注水通路が構成されている。
【００４２】
本実施例の暖房システムにおいて、前記液体循環通路５内の液体の熱媒体（例えば温水）は、必要に応じ、液体循環ポンプ６の駆動によって循環され、液体循環通路５に接続されている暖房装置の一つまたは複数に供給されるものである。この図２では、液体循環通路５には、例えば浴室暖房機等の高温暖房装置１０６と、温水マット１０（１０ａ，１０ｂ）と、戻り温水ファンユニット１とが接続されており、図２において、高温暖房装置１０６と温水マット１０（１０ａ，１０ｂ）と戻り温水ファンユニット１に熱媒体を供給する液体循環通路５内の経路にドットが記入されている。なお、暖房装置への熱媒体の供給は熱源装置１０１に設けられた制御装置（図２には図示せず）によって行われるものであり、この制御装置は、暖房用バーナ１６の燃焼制御と液体循環ポンプ６の駆動制御を含む動作制御等を行う。
【００４３】
高温暖房装置１０６には、図２の矢印Ａに示されるように、暖房用熱交換器２８ｂで加熱された熱媒体（例えば８０℃の湯）が、管路９２，９７，４０を順に通して供給され、供給された熱媒体は、高温暖房装置１０６の内部通路５１を通り、管路４１を通って接続手段１１５に導入される。なお、高温暖房装置１０６には、熱動弁１２が設けられており、この熱動弁１２が、例えば高温暖房装置１０６に信号接続されているリモコン装置の運転オンの操作に応じて開かれると、前記のように、熱媒体が高温暖房装置１０６に通される。
【００４４】
また、この状態で、浴槽湯水の追い焚き運転も行うときには、管路９２を通った液体（熱媒体）を、前記の如く図の矢印Ｂに示すように管路９７に通すと共に、流量制御弁３８を開くことにより、矢印Ｂ’に示すように管路８９側にも通し、管路８９側（熱交換器７側）に流れた液体を、管路９６を通して管路９５に戻るようにしながら、浴槽湯水循環ポンプ２０を駆動させて、浴槽湯水を図の矢印Ｈに示すように循環させ、熱交換器７（液−液熱交換器）を介しての、液体循環通路５を通る液体と追い焚き循環路１３を通る浴槽湯水との熱交換によって、浴槽２７内の湯水の温度（風呂温度センサ２１の検出温度）が風呂設定温度となるまで、浴槽湯水の追い焚き運転を行う。
【００４５】
一方、高温暖房装置１０６の暖房運転を行わずに、浴槽湯水の追い焚き運転のみを行うときには、高温暖房装置１０６の熱動弁１２が閉じられているので、暖房用熱交換器２８ｂで加熱した高温設定温度の液体（例えば８０℃の液体）を、矢印Ａに示すように、管路９２に通した後、管路９７には通さずに、図の矢印Ｂ’に示すように、管路８９側に通す。そして、前記と同様に、この液体と浴槽湯水とを、液―液熱交換器７を介して熱交換することにより浴槽２７内の湯水の追い焚き運転を行う。
【００４６】
温水マット１０には、暖房用熱交換器２８ａで加熱された熱媒体を、図２の矢印Ｄに示されるように管路９４に通した後に、シスターンタンク１００に通し、図の矢印Ｅに示されるように管路９３に通して液体循環ポンプ６から吐出し、管路９０，４４に順に通して供給される。なお、管路９４には、暖房用熱交換器２８ｂ側から導出された熱媒体が管路９２側から管路９９を介して導入され、合流した熱媒体がシスターン１００内に導入される。また、必要に応じて低温能力切替熱動弁４７を開くことによって、管路９８を介しての管路９２側から管路９４側への熱媒体の導入も行われ、シスターン１００内に導入される。
【００４７】
その結果、シスターン１００内の温度が例えば６０℃程度となるようにされるものであり、低温能力切替熱動弁４７は、温水マット１０等の低温暖房装置の稼働時に必要に応じて開かれるので、低温能力切替熱動弁４７が閉じているときには管路９８を介しての管路９２側から管路９４側への熱媒体の導入は行われないが、管路９９を介しての管路９２側から管路９４側への熱媒体の導入は行われ、この熱媒体の流量が検出されれば暖房用バーナ１６の燃焼開始を行うことができる。
【００４８】
温水マット１０への熱媒体の供給は、器具ケース４２内の液体分岐手段３７に設けられている熱動弁２のうち、稼働する（運転する）温水マット１０（１０ａ，１０ｂ）に対応する熱動弁２（２ａ，２ｂ）が、例えば温水マット１０に信号接続されているリモコン装置の運転オンの操作に応じて開かれることにより行われる。高温暖房装置１０６の加熱や浴槽湯水の追い焚きを行わずに温水マット１０を加熱するときには、例えば管路内が温められるまでの間に行われるホットダッシュ運転時には例えば８０℃、それ以外は例えば６０℃とされる。
【００４９】
なお、液体循環ポンプ６の吐出側の通路は、以上のように温水マット１０側に熱媒体を供給する管路９０に加え、暖房用熱交換器２８ｂ側に通じる管路９１に分岐接続されており、管路９１を通った熱媒体は、図の矢印Ｆに示されるように暖房用熱交換器２８ｂ側に導入される。
【００５０】
温水マット１０に供給された熱媒体は、温水マット１０の内部通路５２を通り、管路４５を通って接続手段１１５に導入される。また、高温暖房装置１０６に導入されて高温暖房装置１０６を通った熱媒体は、管路４１を通って接続手段１１５に導入される。接続手段１１５には、管路４３を介して戻り温水ファンユニット１が接続されており、戻り温水ファンユニット１は、温水マット１０（１０ａ，１０ｂ）および高温暖房装置１０６と直列に接続されている。戻り温水ファンユニット１は、熱源装置１０１の前記制御装置に信号接続されていない信号非接続の暖房装置であり、戻り温水ファンユニット１は、管路５９を介して器具ケース４２内の管路９５に接続されている。
【００５１】
なお、このように、本実施例では、戻り温水ファンユニット１の上流側の暖房装置である温水マット１０（１０ａ，１０ｂ）や高温暖房装置１０６により放熱した熱媒体（液体）の熱を、下流側の暖房装置である戻り温水ファンユニット１によりさらに放熱してから、管路５９、９５を介して前記潜熱回収用熱交換器２８ａに導入することにより、以下に述べるように、潜熱回収用熱交換器２８ａの熱効率を向上させることができ、熱源装置の熱効率を向上させることができる。
【００５２】
例えば、熱交換器が結露するかどうかは、熱源装置が配置されている環境にも左右され、例えば雨の日は結露が生じやすいが、そのような結露が生じやすい環境下でも顕熱回収用の熱交換器（メインの熱交換器）には結露が生じないように、顕熱回収用の熱効率は例えば７８％程度に設定されている。そして、周知の如く、潜熱回収用熱交換器は燃焼ガスの潜熱のみならず、顕熱回収用の熱交換器によって回収できなかった顕熱も回収する。さらに、潜熱回収用熱交換器は、この顕熱の回収に加えて燃焼ガスの潜熱も回収する。
【００５３】
潜熱回収用熱交換器による顕熱回収は、潜熱回収用熱交換器に導入される水の温度が４０℃を超えても支障なく行われるものであるので、潜熱回収用熱交換器を設けると、たとえ熱源装置の配置環境によって顕熱熱交換器の顕熱回収率が低いときでも顕熱熱交換器によって回収しきれなかった顕熱を潜熱回収用熱交換器により回収できる。そのため、潜熱回収用熱交換器を設けると、潜熱回収用熱交換器を設けない場合に比べて熱交換器全体としての熱効率を向上でき、熱源装置の熱効率を向上できる。
【００５４】
さらに、前記の如く、潜熱回収用熱交換器に導入される水の温度が４０℃以下の場合には潜熱回収も効率良く行われる（４０℃を超えると十分には行えない）ので、潜熱回収用熱交換器に導入される水の温度が４０℃以下の低い温度となるようにすると、さらに熱源装置の熱効率を向上できる。そのため、本実施例のように、例えば温水マット等の床暖房等を通った温水の熱を戻り温水ファンユニットによってさらに放熱し、それにより、潜熱回収用熱交換器への導入温水温度を例えば４０℃以下にすると熱交換器の熱効率をさらに向上させて熱源装置の熱効率もさらに向上できる。
【００５５】
図２、図３（ｂ）に示されるように、戻り温水ファンユニット１には、前記管路３９も接続されており、管路３９は、戻り温水ファンユニット１の上流側に直列に接続されている温水マット１０（１０ａ，１０ｂ）や高温暖房装置１０６を通さずに、熱源装置１０１の管路９０から熱動弁２（２ｄ）を介して熱媒体を導入する熱媒体直接導入通路として機能する。
【００５６】
戻り温水ファンユニット１には、四方弁３と、フィン１１２を備えた熱交換器１０２と、この熱交換器１０２に熱媒体を導入する熱媒体導入通路１０３と、熱媒体導入通路１０３内を通る液体の温度を検出する導入熱媒体温度検出手段１０４とが設けられている。また、戻り温水ファンユニット１が設けられている配設場所の温度を検出する周囲温度検出手段１０５も設けられている。四方弁３は、管路（熱媒体直接導入通路）３９から戻り温水ファンユニット１に熱媒体を導入する経路と、戻り温水ファンユニット１の上流側に直列に接続されている温水マット１０（１０ａ，１０ｂ）や高温暖房装置１０６を通った液体（熱媒体）を管路４３から戻り温水ファンユニット１に導入する経路とを切り替える経路切り替え手段として機能する。
【００５７】
また、四方弁３は、後述するように、図３（ｃ）に示す「位置Ｃ」の態様として、熱源装置１０１から熱媒体（温水）が管路３９を介して直接導入されるようにして戻り温水ファンユニット１と温水マット１０や高温暖房装置１０６とを並列にする態様と、後述するように、図３（ｂ）に示す「位置Ｂ」の態様として、温水が熱源装置１０１から温水マット１０や高温暖房装置１０６を通ってから戻り温水ファンユニットに導入されるようにする直列態様との切り替え装置としても機能する。
【００５８】
戻り温水ファンユニット１に設けられている四方弁３等の構成要素は、例えば図４に示されるようなケース１０７内に収納されており、ケース１０７内には、熱交換器１０２を通る熱媒体の放熱用の放熱ファン１０８も設けられている。なお、同図においては、戻り温水ファンユニット１の前記構成要素のうち、熱媒体導入通路１０３、導入熱媒体温度検出手段１０４、周囲温度検出手段１０５は図示されていない。また、ケース１０７には放熱ファン１０８の駆動に伴ってケース１０７内に空気を導入する吸気口１０９ａ，１０９ｂと、ケース１０７内に導入された空気をケース１０７から導出する送風口１１０とが設けられている。
【００５９】
送風口１１０の形成位置を除くケース１０７の少なくとも一部（ここでは送風口１１０の形成面１１１を除く殆ど）は、家屋の壁１１６の中に埋め込まれて配置されており、ケース１０７内において、放熱ファン１０８は送風口近傍に設けられ、熱交換器１０２は前記壁１１６の面方向に放熱ファン１０８と並ぶ態様で送風口１１０から離れた位置に設けられている。なお、例えば壁１１６の厚み（図のｋ）は約１０ｍｍ、壁１１６内の空間の奥行き（図のＭ）は約８０ｍｍに形成され、この空間には例えば内径約４０〜５０ｍｍφのダクト１１７が設けられている。
【００６０】
このダクト１１７に、戻り温水ファンユニット１の吸気口１０９ａ，１０９ｂがそれぞれ接続されており、ダクト１１７の一端側は家屋の床下に連通し、他端側は、図６に示されるように、家屋の天井１１８の裏側に連通している。ダクト１１７には、吸気口１０９ａ，１０９ｂからケース１０７内に導入される空気と共に埃が導入されることを防ぐためのフィルタ１１９ａ，１１９ｂが設けられており、つまり、この例において、フィルタ１１９ａ，１１９ｂは、それぞれ、ケース１０７の外部に設けられている。
【００６１】
天井１１８側に設けられているフィルタ１１９ａは、例えば図６に示されるように、フィルタ掃除用の扉１２２を開いて取り出して掃除することができる。また、床下側に設けられるフィルタ１１９ｂは、図４に示されるように、例えば床付近に設けられる巾木１２０の一部にフィルタ１１９ｂを固定して、巾木１２０の一部を図の矢印の方向近傍に引き出せるように形成し、引き出した巾木１２０の一部と共にフィルタ１１９ｂを引き出せるようにすると、フィルタ１１９ｂの掃除がしやすく、かつ、見栄えも良好にできる。
【００６２】
なお、図４においては、フィルタ１１９ｂを巾木１２０の一部と共に引き出せるようにする構成が簡略化して示されているが、床下側に設けられているフィルタ１１９ｂの配設態様例は、例えば図５（ａ）、（ｂ）の模式図に示されるような態様とすることができる。この例では、同図に示されるように、巾木１２０の一部が図の矢印のように壁１１６の手前側に引き出せる引き出し板１２０ｂに形成され、この引き出し板１２０ｂには引き出し操作を容易にするつまみ部１２９が形成されると共に、フィルタ面がダクト１１７と交わる（例えば直交する）態様で引き出し板１２０ｂに固定されたフィルタ１１９ｂが設けられている。
【００６３】
また、フィルタ１１９ｂの引き出しが良好に行われるように、壁１１６内には、フィルタ１１９ｂを引き出し可能に支持する支持部１３０を備えたフィルタ支持用の筐体部材１３１が形成されている。筐体部材１３１は例えば部位材１３１ａ〜１３１ｄを有して形成され、筐体部材１３１の上下両方には開口１３２が形成されて開口１３２の形成部においてダクト１１７に連通している（あるいは図５においてダクトと同じ符号１１７で示されている筒体を筐体部材１３１の上下に設けてダクトと同様に形成し、ダクト１１７の役割を果たすように形成されている）。なお、例えばフィルタ１１９ｂの引き出し時や引き出し後の収納時の衝撃を和らげるスポンジ等の緩衝材（パッキン）を筐体部１３１の適宜の場所（例えば同図においてＰＫで示す場所）に設けるとよい。
【００６４】
また、戻り温水ファンユニット１のケース１０７には、吸気口１０９ａ側と吸気口１０９ｂ側にそれぞれ、開閉扉と、その開閉弁の開閉を制御する空気導入切り替え手段とを設け、吸気口１０９ａ，１０９ｂからケース１０７内に空気を吸い込む際に開いて空気の吸い込みがないときには閉じるように開閉扉を選択的に開閉することにより、吸気口１０９ａ側からの空気の導入と吸気口１０９ｂ側からの空気の導入を選択的に行える構成としてもよいし、手動により開閉扉の開閉を行えるようにしてもよい。
【００６５】
そして、戻り温水ファンユニット１に熱媒体を供給しながら放熱ファン１０８を駆動させて送風口１１０から温かい風を送風するときには、吸気口１０９ａ側に設けられた開閉扉を開いて天井側から空気を導入するようにしてもよい。なお、戻り温水ファンユニット１は、熱媒体（温水）を導入せずに放熱ファン１０８を駆動させれば、冷風（涼風）を送る送風装置としても機能するので、温度が例えば周囲温度検出手段１０５（図３（ｂ）、参照）により検出される温度が例えば２５℃以上といった冷風送風用の設定温度以上のとき等、吸気口１０９ｂ側に設けられた開閉扉を開いて床下側から冷たい空気を導入するようにしてもよい。
【００６６】
なお、戻り温水ファンユニット１に熱媒体（温水）を導入せずに放熱ファン１０８を駆動させて、冷風（涼風）を送る送風装置としても機能させる基準は、周囲温度検出手段１０５の検出温度にするとは限らず、適宜設定されるものである。例えば、カレンダー機能を持たせて、夏には冷風を送風するようにしてもよい。
【００６７】
本実施例において、図２に示したように、温水マット１０と高温暖房装置１０６の出側が接続されている接続手段１１５には、戻り温水ファンユニット１が接続されているので、温水マット１０を通って放熱された熱媒体や高温暖房装置１０６を通って放熱された熱媒体が適宜、戻り温水ファンユニット１側に送られ、戻り温水ファンユニット１が「運転ＯＮ」のときには、後述するように四方弁３の位置（切り替え態様）に応じて熱媒体が戻り温水ファンユニット１の熱交換器１０２に導入される。そして、熱媒体は、戻り温水ファンユニット１の熱交換器１０２を通り、管路５９を介して熱源装置１０１の管路９５に導入される。
【００６８】
戻り温水ファンユニット１の「運転ＯＦＦ」のときには、熱媒体は、戻り温水ファンユニット１を経由するだけで戻り温水ファンユニット１の熱交換器１０２等を通らずに管路５９に導入され、熱源装置１０１の管路９５に導入される。
【００６９】
いずれの場合も、図２の矢印Ｃに示すように、管路９５を通った熱媒体は暖房熱交換器２８ａに導入され、前記の如く、矢印Ｄに示したように管路９４を通った後、シスターンタンク１００を通って液体循環ポンプ６を介し、温水マット１０側に送られる。
【００７０】
ところで、本実施例においては、図１に示されるように、熱源装置１０１の制御装置６０内に、負荷値検出手段６１と稼働暖房装置判断手段６２、熱媒体供給制御手段６３、燃焼制御手段６４、ポンプ駆動手段６５が設けられており、液体循環ポンプ６と熱動弁２（２ａ〜２ｄ）に接続されている。一方、戻り温水ファンユニット１には、運転オンオフ操作手段６６と制御装置６７とが設けられ、制御装置６７内には、放熱ファン駆動手段６６と弁切り替え手段６９が設けられている。なお、前記の如く、戻り温水ファンユニット１は熱源装置１０１の制御装置６０とは信号接続されていないものであり、制御装置６０と制御装置６７とは信号接続されていない。
【００７１】
熱源装置１０１の負荷値検出手段６１は、ポンプ駆動手段６５によって液体循環ポンプ６を駆動したときに、該液体循環ポンプ６の負荷の値（駆動電流値または駆動電圧値）を直接的に検出する手段であり、検出した値を稼働暖房装置判断手段６２に加える。
【００７２】
稼働暖房装置判断手段６２は、負荷値検出手段６１により検出された負荷の値に基づき、液体循環通路５に接続されている暖房装置（高温暖房装置１０６と温水マット１０、戻り温水ファンユニット１）のうち何れの暖房装置が稼働しているかを判断する。そして、その判断結果を熱媒体供給制御手段６３に加える。なお、暖房装置の稼働状況と負荷値検出手段６１の検出値との関係についての詳細は後述する。また、本実施例において、熱源装置１０１は、温水マット１０および高温暖房装置１０６とは信号接続されているので、これらの暖房装置の稼働状況を熱源装置１０１は通信によって把握することができる。
【００７３】
熱媒体供給制御手段６３は、稼働暖房装置判断手段６２により判断された暖房装置の稼働状況に対応させて、稼動している暖房装置（稼動を始める暖房装置も含む）に前記熱媒体を供給する。この熱媒体の供給制御に際し、熱媒体供給制御手段６３は、燃焼制御手段６４に、暖房用バーナ１６の燃焼制御を行うように指令を加え、熱媒体の温度を必要に応じた温度とし、また、必要に応じて熱動弁２（２ａ〜２ｄ）の開閉制御を行う。なお、燃焼制御手段６４による燃焼制御については周知であり、その説明および図示は省略する。
【００７４】
戻り温水ファンユニット１の運転オンオフ操作手段６７は、例えば図４に示した送風口１１０の形成面１１１や、その上面１２１や側面等の適宜の位置に設けられている。運転オンオフ操作手段６６は、戻り温水ファンユニット１の運転のオンオフを利用者等によって手動により操作する操作手段であり、操作ボタン等により形成されている。
【００７５】
放熱ファン駆動手段６８は、運転オンオフ操作手段６６の操作が行われて戻り温水ファンユニット１の運転がオンの状態とされているときに、適宜、放熱ファン１０８を駆動するものである。
【００７６】
弁切り替え手段６９は、四方弁３を切り替える手段であり、戻り温水ファンユニット１の運転のオンオフ（「運転ＯＦＦ」なのか「運転ＯＮ」なのか）に応じる等、以下に述べるように、四方弁３を例えば図３（ａ）〜（ｃ）に示されるいずれかの態様に適宜切り替える。
【００７７】
なお、図３（ａ）〜（ｃ）において、四方弁３は模式的に二重円状に示されており、液体の通過可能な領域が、外側の円と内側の円との間が白い部分により模式的に示され、液体の通過ができない領域が、外側の円と内側の円との間が黒い部分により模式的に示され、さらに、弁の切り替えに伴う連通経路が内側の円内の互いに直交する直線により模式的に示されている。また、四方弁３に接続されている戻り温水ファンユニット１内の通路は、図３（ｄ）に示されている。
【００７８】
例えば、弁切り替え手段６９は、戻り温水ファンユニット１の運転がオフ（「運転ＯＦＦ」）のときは、通常は、四方弁３を図３（ａ）に示される状態（以下、「位置Ａ」ともいう）にし、接続手段１１５側から戻り温水ファンユニット１に熱媒体を供給する管路４３に連通している通路４３ａと、戻り温水ファンユニット１からの出側の通路５９ａ（前記管路５９に連通する通路）とを接続する状態とする。
【００７９】
この状態のときに、戻り温水ファンユニット１の上流側に設けられている高温暖房装置１０６と温水マット１０の少なくとも一つが稼働状態で、その稼動状態の暖房装置に熱媒体の供給が行われていれば、液体循環ポンプ６の駆動によって、管路４３から戻り温水ファンユニット１の通路４３ａに熱媒体が導入されることになるが、その熱媒体は戻り温水ファンユニット１の熱媒体導入通路１０３側には進まず、熱交換器１０２側を通ることなく、図３（ａ）の矢印に示されるように通路５９ａを通って管路５９に導入され、熱源装置１０１に戻って循環することになるため、熱媒体が戻り温水ファンユニット１を通ることによって液体循環ポンプ６に与える（追加される）負荷は殆どない。
【００８０】
したがって、熱源装置１０１の負荷値検出手段６１がポンプ駆動手段６５による液体循環ポンプ６の負荷値を検出してその値を稼働暖房装置判断手段６２に加えると、稼働暖房装置判断手段６２は、その負荷値に基づいて戻り温水ファンユニット１が「運転ＯＦＦ」であると推定（判断）することができる。
【００８１】
また、熱源装置１０１は、戻り温水ファンユニット１が「運転ＯＦＦ」なのか「運転ＯＮ」なのかを確認するために、熱媒体供給制御手段６３によって熱動弁２ｄ（図２も参照）を開状態とし、ポンプ駆動手段６５に指令を加えて液体循環ポンプ６を駆動することにより、管路３９を通して戻り温水ファンユニット１に熱媒体を導入しようとする。なお、このとき、温水マット１０等の他の暖房装置が稼働していて液体循環ポンプ６が既に駆動されていたときには、その駆動を継続する。
【００８２】
この戻り温水ファンユニット１の運転オンオフの確認動作（確認作業）時に、戻り温水ファンユニット１の運転がオフ（運転ＯＦＦ）で、四方弁３が図３（ａ）に示される状態（「位置Ａ」）であれば、通路３９ａが四方弁３と接続されていない（通路３９ａが他の通路４３ａ，５９ａ，液体導入通路１０３と接続されていない）ので、液体循環ポンプ６を駆動しても、熱動弁２ｄに接続されている管路３９を通しての液体（熱媒体）の流れは生じない。そのため、戻り温水ファンユニット１の上流側の高温暖房装置１０６と温水マット１０が何れも稼働状態ではない場合は、熱源装置１０１の外部に配置されている管路４０，４１，４３，４４，４５等を通しての液体の流れが生じない。
【００８３】
また、このとき、高温暖房装置１０６と温水マット１０の少なくとも一つが稼働していて、熱媒体の供給が行われていれば、液体循環ポンプ６の駆動によって管路４３から戻り温水ファンユニット１に熱媒体が導入されることになるが、前記の如く、その熱媒体は熱交換器１０２側には流れずに、単に戻り温水ファンユニット1を経由して通っていくだけであり、熱媒体が戻り温水ファンユニット１を通ることによって液体循環ポンプ６に与える負荷は殆どないために、液体循環ポンプ６の負荷値は殆ど変わらない。
【００８４】
したがって、戻り温水ファンユニット１の運転オンオフの確認動作時に、負荷値検出手段６１がポンプ駆動手段６５を介して液体循環ポンプ６の負荷値を検出することにより、その負荷値の追加がなければ（負荷値が液体循環ポンプ６の駆動に伴う基準値であるか基準値に温水マット１０等の稼動中の暖房装置に温水を供給するために必要な値を加えた値等から増加されなければ）、戻り温水ファンユニット１が「運転ＯＦＦ」であることを確認することができる。
【００８５】
そこで、戻り温水ファンユニット１の「運転ＯＦＦ」の確認が行われた場合には、熱媒体供給制御手段６３は熱動弁２ｄを閉状態とする。また、この熱源装置１０１による戻り温水ファンユニット１の運転オンオフ確認動作は例えば３０分毎といった予め定められるユニットオンオフ確認用設定間隔毎に行われる。
【００８６】
一方、戻り温水ファンユニット１は、運転オンオフ操作手段６６の操作によって「運転ＯＮ」とされると、弁切り替え手段６９が、四方弁３の状態を以下に述べるように適宜、切り替える。例えば、運転オンオフ操作手段６６の操作によって戻り温水ファンユニット１が「運転ＯＦＦ」から「運転ＯＮ」にされると、弁切り替え制御手段６９は、まず、四方弁３を図３（ｂ）に示される状態（以下、「位置Ｂ」ともいう）とし、接続手段１１５側から戻り温水ファンユニット１に熱媒体を導入する管路４３に連通する通路４３ａと戻り温水ファンユニット１の熱媒体導入通路１０３とが連通する状態とする。
【００８７】
このとき、高温暖房装置１０６と温水マット１０の少なくとも一つが稼働していて、稼動している暖房装置に熱媒体の供給が行われていれば、液体循環ポンプ６の駆動によって管路４３から戻り温水ファンユニット１の通路４３ａに熱媒体が導入されることになり、図３（ｂ）の矢印に示されるように熱媒体は戻り温水ファンユニット１に導入されて、その熱交換器１０２を通ってから通路５９ｂ側から管路５９に導入され、熱源装置１０１に戻る。
【００８８】
そのため、このときには、熱媒体が戻り温水ファンユニット１を通ることによる液体循環ポンプ６の負荷の増加が生じるので、負荷値検出手段６１により検出される液体循環ポンプ６の負荷値に基づいて（負荷値の上昇に基づいて）、稼働暖房装置判断手段６２は戻り温水ファンユニット１が稼働している（「運転ＯＮ」である）と判断できる。また、高温暖房装置１０６や温水マット１０の稼働は信号接続により判断できるので、熱源装置１０１は、高温暖房装置１０６と温水マット１０のうちのどの暖房装置が稼働しているかも把握できる。
【００８９】
なお、四方弁３が「位置Ｂ」のときに、高温暖房装置１０６と温水マット１０の少なくとも一つが稼働していて、管路４３から戻り温水ファンユニット１の通路４３ａに熱媒体が導入され、熱媒体導入通路１０３を通ると、導入熱媒体温度検出手段１０４の検出温度が、例えば戻り温水ファンユニット１の配設領域の周囲温度から、高温暖房装置１０６や温水マット１０を通った後の温度（熱源装置１０１に戻されるときの戻り湯温であり、例えば４５℃）に変化する。そのため、戻り温水ファンユニット１は、導入熱媒体温度検出手段１０４の温度変化の検知によって、高温暖房装置１０６と温水マット１０の少なくとも一つの暖房装置が稼働していることを検知できる。
【００９０】
また、戻り温水ファンユニット１は、運転オンオフ操作手段６６の操作によって「運転ＯＮ」とされたときに、四方弁３を「位置Ｂ」としても、導入熱媒体温度検出手段１０４の検出温度の上昇が確認できないときには、高温暖房装置１０６と温水マット１０のいずれの暖房装置も稼働していないと判断し、弁切り替え手段６９によって四方弁３を図３（ｃ）に示される状態（以下、「位置Ｃ」ともいう）に切り替え、管路３９に接続されている通路３９ａと戻り温水ファンユニット１の熱媒体導入通路１０３とが連通する状態とする。そして、戻り温水ファンユニット１は、熱源装置１０１による前記ユニットオンオフ確認用設定間隔毎に行われる戻り温水ファンユニット１の運転オンオフ確認動作を待つ。
【００９１】
四方弁３が「位置Ｃ」のときに、熱源装置１０１が熱動弁２ｄを開いて液体循環ポンプ６を駆動させ（または液体循環ポンプ６の駆動を継続させ）、管路３９から戻り温水ファンユニット１に熱媒体を導入しようとすると、熱媒体は管路３９から戻り温水ファンユニット１に導入されて熱媒体導入通路１０３と熱交換器１０２を通ってから通路５９ｂ側から管路５９に導入され、熱源装置１０１に戻る。そのため、このときには熱媒体を戻り温水ファンユニット１に通して循環させるための液体循環ポンプ６の負荷が生じる。
【００９２】
つまり、液体循環ポンプ６の負荷値は、基準値（例えば液体循環ポンプ６の駆動そのものにより発生する負荷値に対応する値）から戻り温水ファンユニット１を稼働するための値に変化する、または、高温暖房装置１０６の稼働無しに浴槽湯水の追い焚きが行われていた場合には、液体循環ポンプ６の負荷は、追い焚きに用の熱媒体循環に必要な値から戻り温水ファンユニット１を稼働するために必要な値に変化する。
【００９３】
また、温水ファンユニット１の運転開始に伴って弁切り替え制御手段６９が四方弁３を「位置Ｂ」とした直後には高温暖房装置１０６と温水マット１０の何れも稼動していなくとも、戻り温水ファンユニット１の運転オンオフ確認動作は前記設定間隔毎に行われるので、その動作開始までの間に高温暖房装置１０６と温水マット１０の少なくとも一つの運転が開始されて、次回の戻り温水ファンユニット１の運転オンオフ確認動作時には高温暖房装置１０６や温水マット１０が稼動していることもある。
【００９４】
四方弁３が「位置Ｃ」のときには、前記の如く通路３９ａと液体導入通路１０３とが接続状態であると共に、通路４３ａと通路５９ａとが四方弁３を介して接続されているので、高温暖房装置１０６や温水マット１０を通った熱媒体は、戻り温水ファンユニット１に導入されるが、液体導入通路１０３側には流れずに戻り温水ファンユニット１を通り抜ける。そのため、この場合にも、液体循環ポンプ６の負荷値は、前記基準値（あるいは、例えば他の暖房装置の駆動や浴槽湯水の追い焚きが行われていれば、それらの駆動に要する値と基準値とを加えた負荷値）から、その値に熱媒体を管路３９から戻り温水ファンユニット１に導入して戻り温水ファンユニット１を通して循環させるための負荷値を合わせた値に変化する。
【００９５】
したがって、いずれの場合であっても、負荷値検出手段６１により検出される液体循環ポンプ６の負荷値に基づいて、稼働暖房装置判断手段６２は、戻り温水ファンユニット１が稼働している（「運転ＯＮ」である）ことを判断できる。
【００９６】
以上のようにして、熱源装置１０１は、戻り温水ファンユニット１が稼働しているか否か（「運転ＯＮ」なのか「運転ＯＦＦ」なのか）と、戻り温水ファンユニット１が稼働しているときには、その四方弁３が図３（ｂ）に示される状態（「位置Ｂ」）なのか図３（ｃ）に示される状態（「位置Ｃ」）なのかを検出できるので、その結果を熱媒体供給制御手段６３に加え、以下に述べるような熱媒体供給動作を行う。
【００９７】
例えば、熱源装置１０１は、戻り温水ファンユニット１の運転オンオフ確認動作時に、負荷値検出手段６１により検出される液体循環ポンプ６の負荷値に基づき、戻り温水ファンユニット１が「運転ＯＮ」で四方弁３が「位置Ｃ」の状態であると判断したときには、熱動弁２ｄを開いた状態で例えば最初の３０分は８０℃、３０分経過後には６０℃の湯を管路３９を介して戻り温水ファンユニット１に送るようにする。
【００９８】
なお、熱動弁２ｄは、熱で暖まってから開くので、例えば熱動弁２ｄが冷めている状態で通電されると通電してから１分後に開く等、通電してから開くまでに時間がかかることがある。一方、熱動弁２ｄが閉じられてから間もなく通電が行われる場合（一時停止後直ぐ）だと、通電後５秒程度で開くこともある。
【００９９】
熱動弁２ｄを開けてから（熱動弁２ｄが開いてから）暖房用バーナ１６の燃焼を開始して熱媒体を加熱すると、前記のように最初の３０分の間に８０℃の湯が送られる前に、例えば４０℃の湯が送られることになる。このように熱動弁２ｄを開けてから熱媒体を加熱する場合には、暖房用熱交換器２８の熱効率がアップするために熱効率の観点からは好ましい。一方、熱動弁２ｄを開ける前に暖房用バーナ１６の燃焼が開始された場合にはバーナ燃焼によって加熱された湯は液体循環通路内を循環する（熱動弁２ｄに接続されている負荷側には流れずに循環する）ことになり、そのとき、シスターン１００内の湯を温めることになる。その後、熱動弁２ｄが開かれたときにシスターン１００側から加熱された湯が流れていくので、バーナ燃焼開始後に熱動弁２ｄを開いてもよい。
【０１００】
また、熱動弁２ｄを開く前に暖房用バーナ１６の燃焼を開始させると、前記のようにバーナ燃焼によって加熱された熱媒体（湯）は液体循環通路５内を循環し（熱動弁２ｄに接続されている戻り温水ファンユニット１側には流れずに循環し）、熱動弁２ｄが開いたときに温水が熱動弁２ｄに接続されている戻り温水ファンユニット１側に流れ、それにより、暖房低温サーミスタ３６の温度が下がる（出力が下がる）。
【０１０１】
この温度の低下は、熱動弁２ｄに接続されている戻り温水ファンユニット１が稼働していると大きくなるので、この温度変化を検出することにより、暖房用ポンプ６の駆動電圧を検出しなくても戻り温水ファンユニット１が稼働しているかどうか（戻り温水ファンユニット１の負荷の有無）を検出することができる。なお、このような温度変化の検出を行わなくとも、前記のように、暖房用ポンプ６の駆動電圧や駆動電流の検出による暖房用ポンプ６の負荷検出を支障なく行える。
【０１０２】
一方、戻り温水ファンユニット１側では、導入熱媒体温度検出手段１０４の検出温度に基づき、熱源装置１０１からの高温の湯が戻り温水ファンユニット１に導入されて熱交換器１０２側に流れていることを確認し、確認がとれたら、ファン駆動制御手段６８により放熱ファン１０８を駆動させ、例えばトイレ等の狭小空間に配設されている戻り温水ファンユニット１の配設領域を放熱により暖める。
【０１０３】
また、熱源装置１０１は、戻り温水ファンユニット１が「運転ＯＮ」で四方弁３が「位置Ｂ」であると判断したときに、高温暖房装置１０６と温水マット１０の少なくとも一つが稼働していれば、稼動している暖房装置を通った熱媒体が管路４３から戻り温水ファンユニット１の通路４３ａに導入されて戻り温水ファンユニット１の熱交換器１０２に通されるので、稼動している暖房装置を介しての戻り温水ファンユニット１への熱媒体導入を継続する。
【０１０４】
ところで、戻り温水ファンユニット１には、例えば四方弁３と熱交換器１０２との間等の適宜の場所（例えば液体導入通路１０３の途中部、例えば導入熱媒体温度検出手段１０４の上流側または下流側）に抵抗を設けることが好ましい。それというのは、戻り温水ファンユニット１は例えばトイレ等の狭い空間の加温用に設けられることから前記のように薄肉化され、戻り温水ファンユニット１内に設けられている熱交換器１０２の厚みも薄いため、戻り温水ファンユニット１によって暖める空間がトイレ等の狭い空間であるとはいっても、熱交換器１０２に導入される温水が温水マット１０を通った後の低めの温度の温水の場合に空間を十分に暖めることが難しい場合があるが、前記抵抗を設けることにより空間の加温を向上させることができる。
【０１０５】
つまり、前記の如く、例えば四方弁３と熱交換器１０２との間等の適宜の場所に抵抗を設け、熱交換器１０２を通る温水の流速を遅くすると、熱交換器１０２における温水の放熱量を多くでき、小型の戻り温水ファンユニット１でも多量の熱を加温用の空間内（トイレ等）に遅れるので、その空間内を十分に温めることができる。この場合、戻り温水ファンユニット１を流れる熱媒体の流量が減るので仕事量が減り、液体循環ポンプ６の負荷の増加量が小さくなるため、例えば液体循環ポンプ６の負荷に基づいて稼働暖房装置判断手段６２によって戻り温水ファンユニット１が作動しているかどうかを判断する際に稼働していることが多少わかりにくくなるものの、前記判断に支障が生じるものではない。
【０１０６】
ところで、戻り温水ファンユニット１側では、その周囲温度に応じて四方弁３の切り替えを行う構成も有している。つまり、戻り温水ファンユニット１の弁切り替え制御手段６９は、周囲温度検出手段１０５による周囲温度を確認して、温度が適切（例えば２０℃以上）の場合には、基本的には、四方弁３を図３（ｂ）に示す状態（「位置Ｂ」）とする。そして、熱源装置１０１から温水ファンユニット１０や高温暖房装置１０６を通った後の熱媒体を、管路４３を介して戻り温水ファンユニット１に導入し、放熱ファン１０８を駆動させ、高温暖房装置１０６や温水マット１０を通った後の熱媒体（ここでは温水であり、戻り湯）で戻り温水ファンユニット１が配設されているトイレ等の狭小空間を保温する。
【０１０７】
なお、高温暖房装置１０６と温水マット１０が何れも稼働していない場合は、戻り温水ファンユニット１は、前記の如く、熱源装置１０１による前記ユニットオンオフ確認用設定間隔毎に行われる戻り温水ファンユニット１の運転オンオフ確認動作を待つ。
【０１０８】
また、四方弁３が「位置Ｂ」の場合に、周囲温度検出手段１０５によって戻り温水ファンユニット１の配設領域の周囲温度を確認した際、周囲温度が低い（例えば２０℃以下の）場合にも、熱源装置１０１による戻り温水ファンユニット１の運転オンオフ確認動作が行われるまでは、四方弁３を「位置Ｂ」として放熱ファン１０８を駆動させ、例えばトイレ等の狭小空間に配設されている戻り温水ファンユニット１の配設領域を放熱により暖める。そして、この加温は熱源装置１０１による戻り温水ファンユニット１の運転オンオフ確認動作の開始前まで続けられる。
【０１０９】
そして、周囲温度検出手段１０５により検出される戻り温水ファンユニット１の周囲温度が低い場合には、熱源装置１０１による戻り温水ファンユニット１の運転オンオフ確認動作時に、戻り温水ファンユニット１は四方弁３を図３（ｃ）に示す状態（「位置Ｃ」）とし、このとき、前記の如く熱源装置１０１から管路３９を介し、例えば８０℃といった高温の熱媒体を戻り温水ファンユニット１に導入して戻り温水ファンユニット１で放熱することにより、トイレ空間を急速加熱する。
【０１１０】
周囲温度検出手段１０５により検出される周囲温度が低い（例えば２０℃以下の）場合であっても、このように、四方弁３を「位置Ｃ」とした状態で、熱源装置１０１から管路３９を通して高温の湯を戻り温水ファンユニット１に導入すれば、戻り温水ファンユニット１が配設されているトイレ等の狭小空間はすぐに急速加熱できる。
【０１１１】
また、戻り温水ファンユニット１は、四方弁３を「位置Ｃ」として前記のように急速加熱することによって、周囲温度検出手段１０５での周囲温度が適切（例えば２０℃以上）となった場合には、一度、四方弁３を「位置Ｂ」に切り替え、高温暖房装置１０６と温水マット１０の何れかが稼動しているか否かを確認する。ここで高温暖房装置１０６と温水マット１０の何れかが稼動（運転）していれば、導入熱媒体温度検出手段１０４により検出される温度が例えば６０℃から４５℃に変化する等、高温暖房装置１０６と温水マット１０の何れかを通った熱媒体の戻り温度が検出され、運転していなければ、導入熱媒体温度検出手段１０４の検知温度は６０℃からゆっくり室温に下がる。
【０１１２】
そこで、高温暖房装置１０６と温水マット１０の何れかが稼動（運転）していれば、四方弁３を「位置Ｂ」とした状態としたまま、稼動している暖房装置を通った熱媒体が管路４３から戻り温水ファンユニット１の通路４３ａに導入されて戻り温水ファンユニット１の熱交換器１０２に通されるようにし、戻り温水ファンユニット１が配設されているトイレ等の狭小空間を保温する。
【０１１３】
一方、高温暖房装置１０６と温水マット１０の何れも稼動していなければ、四方弁３を「位置Ｃ」に戻し、放熱ファン１０８の回転数を下げることにより、戻り温水ファンユニット１が配設されているトイレ等の狭小空間を保温しながら、時々（例えば３０分毎に）四方弁３を「位置Ｂ」として高温暖房装置１０６と温水マット１０の何れかが稼動しているか否かを確認する。
【０１１４】
なお、熱源装置１０１による戻り温水ファンユニット１の運転オンオフ確認動作開始タイミングと戻り温水ファンユニット１による四方弁３の切り替えタイミングとの同期は、以下のようにして図ることができる。
【０１１５】
つまり、例えば戻り温水ファンユニット１側では、四方弁３を「位置Ｃ」にして、熱源装置１０１による戻り温水ファンユニット１の運転オンオフ確認動作が開始されることを待っていると、この運転オンオフ確認動作の開始によって管路３９から戻り温水ファンユニット１に高温の熱媒体が導入されるので、この高温の熱媒体導入タイミングを導入熱媒体温度検出手段１０４の検出温度に基づいて検出する。例えば、この検出により熱源装置１０１からの高温の熱媒（例えば８０℃といった熱い温度の湯）が導入されたことを確認できた時点（例えば導入熱媒体温度検出手段１０４の検出温度が例えば７５℃といった同期確認用の設定温度以上になった時点）を起点とし、予め定められている設定時間（例えば数分）さかのぼった時点を熱源装置１０１による戻り温水ファンユニット１の運転オンオフ確認動作の開始起点として同期をはかる。
【０１１６】
なお、温水マット１０や高温暖房装置１０６には、８０℃の熱媒体が送られることがあるが、温水マット１０や高温暖房装置１０６を通った後の熱媒体の温度（戻り温水ファンユニット１の入り温度）は温水マット１０や高温暖房装置１０６によって放熱されることから例えば６０℃を上回ることはない。そこで、例えば６０℃以上であって、かつ、熱源装置１０１から供給される高温の熱媒体の温度（例えば８０℃）より低い温度が前記同期確認用の設定温度として設定される。
【０１１７】
また、熱源装置１０１側では、戻り温水ファンユニット１が「運転ＯＮ」から「運転ＯＦＦ」になったかどうかを負荷値検出手段６１により検出される液体循環ポンプ６の負荷値の変化に基づいて、戻り温水ファンユニット１の四方弁３の切り替えタイミングの確認を行う。
【０１１８】
なお、図７〜図９には、本実施例の動作例がフローチャートにより示されており、以下、これらのフローチャートに従い、本実施例の動作について説明する。図７に示されるように、戻り温水ファンユニット１側では、運転スイッチがオンされると、ステップＳ１で、弁切り替え制御手段６９が四方弁３を図３（ａ）に示される状態（「位置Ａ」）から図３（ｂ）に示される状態（「位置Ｂ」）に切り替え、ステップＳ２で、導入熱媒体温度検出手段１０４（図７ではサーミスタ１０４と記載）の検出温度が４０℃以上か否かを判断し、４０℃以上であればステップＳ３に進み、４０℃未満であればステップＳ１１に進む。
【０１１９】
ステップＳ１１に進んだ場合は、四方弁３を「位置Ｂ」から「位置Ｃ」に切り替え、ステップＳ１２で、同期タイマ値がないか否か（つまり、熱源装置１０１との同期を既に取得できているかどうか）を確認し、同期タイマ値があれば（熱源装置１０１と同期がとれていれば）ステップＳ２に戻り、同期タイマ値が無ければ（熱源装置１０１との同期がまだ取れていなければ）、ステップＳ１３に進んで同期タイマ値未取得フラグをＯＮして（つまり、熱源装置１０１との同期を取るための動作を行う動作モードとして）からステップＳ２に戻る。
【０１２０】
そして、ステップＳ２で、導入熱媒体温度検出手段１０４の検出温度が４０℃以上になったらステップＳ３に進む。つまり、前記のように、四方弁３を「位置Ｃ」にして熱源装置１０１から管路３９を介して熱媒体が導入されるのを待って、熱媒体が導入されたらステップＳ3に進む。
【０１２１】
ステップＳ３では、同期タイマ値未取得フラグがＯＮか否かを確認し、ＯＮでなければ（既に同期がとれていれば）ステップＳ５に進む。同期タイマ値未取得フラグがＯＮであればステップＳ４で同期タイマ値を取得してから、つまり、前記の如く、四方弁３を「位置Ｃ」にして、熱源装置１０１による戻り温水ファンユニット１の運転オンオフ確認動作の開始を待ち、運転オンオフ確認動作開始によって管路３９から戻り温水ファンユニット１に高温の熱媒体が導入されて導入熱媒体温度検出手段１０４の検出温度が７５℃以上になったことを確認できた時点を起点とし、予め定められている設定時間（例えば数分）さかのぼった時点を熱源装置１０１による戻り温水ファンユニット１の運転オンオフ確認動作の開始起点として同期をはかってから、ステップＳ５に進む。
【０１２２】
そして、ステップＳ５では、周囲温度検出手段１０５（図７では周囲温度センサ１０５と記載）の検出温度が２０℃以下か否かを判断し、２０℃より高ければ図８のステップＳ２１に進み、２０℃以下であれば、図７のステップＳ６に進む。
【０１２３】
ステップＳ６では、放熱ファン１０８を低速にて駆動して、ステップＳ７に進み、四方弁３が「位置Ｂ」であることを確認してステップＳ８に進み、熱源装置１０１による例えば３０分毎といった設定間隔毎に行われる戻り温水ファンユニット１の運転オンオフ確認動作の直前まで待機する。その後、ステップＳ９では、戻り温水ファンユニット１の運転オンオフ確認動作時にタイミングを合わせて、四方弁３を「位置Ｂ」から「位置Ｃ」に切り替える。なお、これらのステップＳ５〜ステップＳ９の動作は、必要に応じて（周囲温度検出手段１０５の検出温度が２０℃より高くなるまで）繰り返し行われる。
【０１２４】
また、ステップＳ５から図８のステップＳ２１に進んだときには、ステップＳ２１で、１０分フラグがありか否かを確認する。この１０分フラグは、後述するように、戻り温水ファンユニット１の周囲温度が２０℃以上のときに、高温暖房装置１０６と温水マット１０が何れも稼動していないことにより、ステップＳ２４の動作によって四方弁３を「位置Ｂ」にしても戻り温水ファンユニット１に熱媒体が供給されない状態が１０分継続したことを検出するようにするためのフラグである。ステップＳ２４を経由させずにステップＳ２１に進んだ場合には、１０分フラグは無し（１０分フラグＯＮの判断はＮｏ）となる。一方、ステップＳ２４を経由してステップＳ２１に進んだ場合には、１０分フラグは有り（１０分フラグＯＮの判断はＹｅｓ）になり、ステップＳ３１に進む。
【０１２５】
ここで、戻り温水ファンユニット１の運転開始から、ステップＳ２１に初めて進んだ時（初回時）には、ステップＳ２１での１０分フラグＯＮの判断はＮｏとなり、ステップＳ２２に進む。ステップＳ２２では、図７のステップＳ５からステップＳ９までの一連の動作によって四方弁３を「位置Ｂ」から「位置Ｃ」に切り替えてから３０分経過したかどうかを判断し、３０分経過したら、ステップＳ２３で四方弁３を「位置Ｃ」から「位置Ｂ」に切り替え、ステップＳ３２に進む。なお、ステップＳ５からステップＳ９までの一連の動作を１回も行わずに、ステップＳ５から直接、図７のステップＳ２１に進んだ場合には、四方弁３は「位置Ｂ」の状態であるので、ステップＳ２２での判断はＮｏとし、四方弁３の「位置Ｂ」を継続してステップＳ３２に進む。
【０１２６】
ステップＳ３２では、導入熱媒体温度検出手段１０４（図８ではサーミスタ１０４と記載）の検出温度が４０℃以上か否かを判断し、４０℃以上であればステップＳ３３に進み、４０℃未満であればステップＳ２４に進んで１０分フラグをＯＮし、放熱ファン１０８を低速で駆動させ、図７のステップＳ９に戻る。
【０１２７】
また、図８のステップＳ２４から図７のステップＳ９に戻って、その後、図８のステップＳ２１に進んだ場合は、ステップＳ２１での判断時に１０分フラグ有りと判断される。ステップＳ２１で１０分フラグありと判断されてステップＳ３１に進んだ場合は、ステップＳ３１で１０分フラグオンから１０分経過したらステップＳ４１に進んで１０分フラグをオフし、四方弁３を「位置Ｃ」から「位置Ｂ」に切り替えてステップＳ３２に進み、前記と同様に動作する。
【０１２８】
なお、このように周囲温度２０℃以上の時に四方弁３を「位置Ｂ」としたときに導入熱媒体温度検出手段１０４（図８ではサーミスタ１０４と記載）の検出温度が４０℃以上に上昇せず、温水マット１０や高温暖房装置１０６が作動していないことが分かった場合には、４方弁を「位置Ｃ」の位置に切り替えて待機しつつ、１０分毎に、４方弁を「位置Ｂ」として戻り温水ファンユニット１の上流側に設けられている温水マット１０等の暖房装置の稼働を確認し（図７のステップＳ９→図８のステップＳ２１→ステップＳ３１→ステップＳ４１→ステップＳ３２→ステップＳ２４の動作を繰り返すことにより、戻り温水ファンユニット１の上流側の暖房装置の稼働確認動作を行いながら）、この確認動作のために放熱ファン１０８を低速で駆動する。
【０１２９】
ステップＳ３２からステップＳ３３に進んだ場合は、導入熱媒体温度検出手段１０４の検出温度が５５℃以上か否かを判断し、導入熱媒体温度検出手段１０４の検出温度が５５℃未満の時にはステップＳ３４で放熱ファン１０８をＯＮする。また、四方弁３が「位置Ｃ」の場合に熱動弁２ｄが開であれば例えば８０℃といった高温の熱媒体が戻り温水ファンユニット1の熱交換器１０２側に供給されて導入熱媒体温度検出手段１０４の検出温度が５５℃以上になるので、ステップＳ４２に進み、放熱ファン１０８をＯＮして低速で駆動し、ステップＳ４３に進む。
【０１３０】
また、ステップＳ４３では、四方弁３を「位置Ｂ」から「位置Ｃ」に切り替えてから３０分経過したかどうかを判断し、３０分経過していたら、ステップＳ４１で１０分フラグをＯＦＦし、四方弁３を「位置Ｃ」から「位置Ｂ」に切り替え、ステップＳ３２に戻る。
【０１３１】
また、ステップＳ４３で、四方弁３を「位置Ｂ」から「位置Ｃ」に切り替えてから３０分経過したかどうかを判断したときに、３０分経過していなかったら、ステップＳ３５で戻り温水ファンユニット１の運転がＯＦＦになっているかどうかを判断し、運転ＯＦＦになっていなかったら、図７のステップＳ５に戻り、運転ＯＦＦになっていたら、ステップＳ３６で、四方弁３を「位置Ａ」にし、放熱ファン１０８の駆動をオフし、ステップＳ３７で終了する。
【０１３２】
一方、熱源装置１０１は、図９のステップＳ５１で、同期タイマ（３０分タイマ）が同期値となったか否かを判断し、同期値となったらステップＳ５２で，熱動弁２ｄを開き（ＯＮし）、液体循環ポンプ６を駆動（ＯＮ）し、ステップＳ５３に進む。ステップＳ５３では、負荷値検出手段６１によって液体循環ポンプ６の負荷値を検出し、負荷値が上昇したらステップＳ５４に進み、負荷値が上昇しなかったらステップＳ６２に進む。なお、ステップＳ５３および後述するステップＳ５４は、負荷値の検出に際してポンプ駆動電力の値を検出してその検出値に基づく動作を行うようにと記してあるが、ポンプ駆動電流により負荷値を検出してもよい。
【０１３３】
ステップＳ６２では、戻り温水ファンユニット１以外の暖房装置（温水マット１０や高温暖房装置１０６）が稼働しているかどうかを判断し、稼働していればステップＳ６１に進んで熱動弁２ｄをオフし、ステップＳ５１に戻り、稼働していなければ、ステップＳ７１で、熱動弁２ｄのオンと液体循環ポンプ６のオンを継続してステップＳ５１に戻る。
【０１３４】
また、ステップＳ５４に進んだときには、負荷値検出手段６１によって検出される前記負荷値が減少しているかどうかを判断し、減少していたらステップＳ５５に進んでディレイタイマをオンしてステップＳ５６に進み、負荷値が減少しなかったらステップＳ８１で戻り温水ファンユニット１に熱媒体供給を行いながら，ステップＳ５２に戻る。ステップＳ５６では、ディレイ時間が経過したかどうかを判断し、経過したら、ステップＳ５７で熱動弁２ｄをオフし、液体循環ポンプ６をオフしてステップＳ５１に戻る。また、同図には図示されていないが、ステップＳ５６でディレイ時間が経過したときに、他の暖房装置が稼動していることが確認できた場合には液体循環ポンプ６のオンのままとする。
【０１３５】
なお、このようなステップＳ５６の過程を設け、負荷値検出手段６１により検出される液体循環ポンプ６の負荷値が下がったことを確認できても、すぐに熱動弁２ｄを閉じずに、所定時間（予め定められる設定時間）後に閉じていくことには、以下のような理由がある。つまり、戻り温水ファンユニット１は、前記のように、四方弁３を「位置Ｃ」→「位置Ｂ」→「位置Ｃ」と、適宜のタイミングで切り替える動作を行って温水マット１０等の他の暖房装置の稼働の有無を確認する動作を行うが、この確認動作時に四方弁３を「位置Ｂ」としたときには管路３９から戻り温水ファンユニット１側に供給された熱媒体は熱交換器１０２側に流れることはできず、高温暖房装置１０６や温水マット１０等の暖房装置が何れも稼働していなければ、戻り温水ファンユニット１側への熱媒体の導入がない。そのため、戻り温水ファンユニット１の運転がオフになったわけではなくても液体循環ポンプ６の負荷値が低下することになる。
【０１３６】
つまり、負荷値検出手段６１により検出される液体循環ポンプ６の負荷値が下がったことを確認できた時に熱動弁２ｄを即座に閉じてしまうと、熱源装置１０１による戻り温水ファンユニット１の運転オンオフ確認動作が次に開始されるまでの間の例えば３０分間、戻り温水ファンユニット１への熱媒体の供給が停止してしまい、戻り温水ファンユニット１の暖房ができなくなってしまう可能性があるので、このような不具合を防止するため、Ｓ５６でＮｏ判断中（ディレイ中）にポンプの消費電力が上がったら、ステップＳＳ５３に戻るようにする。
【０１３７】
また、本実施例に適用されている戻り温水ファンユニット１は、前記のように暖房装置として機能できる上に、涼風を送風する装置としても利用できるので、夏等の気温が高いときには涼風を送風することにより、利用者が快適に利用することができる。この場合は、前記「運転ＯＮ」とは別の「涼風送風運転ＯＮ」スイッチを設ける、あるいは、温風と涼風（冷風）とを切り替える切り替えスイッチを設ける等して、涼風を送風するための「涼風送風運転ＯＮ」の操作が行われたときには四方弁３を「位置Ａ」にしたまま、放熱ファン１０８を駆動して送風口１１０からの送風を行う。また、このときには、前記の如く、吸気口１０９ｂ側に設けられた開閉扉を開いて床下側から空気を導入するようにする。例えばサーミスタ１０５の温度が例えば２５℃といった予め定められる温度以上の時には冷風をとり入れるようにするとよい。
【０１３８】
なお、本発明は、前記実施例に限定されるものでなく適宜設定されるものである。例えば、前記実施例において、戻り温水ファンユニット１には経路切り替え手段として四方弁３を設けたが、四方弁３の代わりに、図１０に示されるような三方弁１２３を２つ設けて形成してもよい。なお、この場合は、戻り温水ファンユニット１の通路３９ａ，４３ａ，５９ａ，５９ｂ，１０３の形成態様を図１０に示されるように形成する。また、図１０（ａ）の状態が図３（ａ）に示した前記「位置Ａ」に対応し、図１０（ｂ）の状態が図３（ｂ）に示した前記「位置Ｂ」に対応し、図１０（ｃ）の状態が図３（ｃ）に示した前記「位置Ｃ」に対応するものである。
【０１３９】
また、前記実施例では、負荷値検出手段６１は、ポンプ駆動手段６５によって液体循環ポンプ６を駆動したときに、該液体循環ポンプ６の負荷の値（駆動電流値または駆動電圧値）を直接的に検出する手段としたが、負荷値検出手段６１は、液体循環ポンプ６の負荷の値を間接的に検出する手段としてもよい。
【０１４０】
この場合、例えば暖房高温サーミスタ３３の検出温度と暖房低温サーミスタ３６の検出温度と暖房用バーナ１６の燃焼熱量とに基づいて液体循環通路５を流れる液体の流量を求める液体流量検出手段を設け、負荷値検出手段６１は液体循環ポンプ６を駆動したときの液体循環ポンプ６の負荷の値を前記液体流量検出手段により検出される液体の流量に基づき、例えばその検出流量と、流量に基づいて液体循環ポンプ６の負荷値を求めるための負荷値検出用データとに基づいて、液体循環ポンプ６の負荷値を間接的に検出するようことができる。なお、暖房用バーナ１６の燃焼熱量は例えば燃焼制御手段１９の制御情報に基づき求めることができ、その方法等は周知であるのでその説明は省略するが、周知の方法や今後提案される方法等により適宜求めることができる。
【０１４１】
また、このような液体循環ポンプ６の負荷値の間接的な検出と前記実施例のような直接的な検出とを必要に応じて切り替えるようにしてもよく、そのようにすると、いずれかの検出に支障が生じても対応できる。
【０１４２】
さらに、前記実施例に設けられていた管路３９を省略し、戻り温水ファンユニット１への熱媒体の導入は、高温暖房装置１０６や温水マット１０を通った後の熱媒体のみとしてもよい。この場合は、例えば、図１１に示されるように、戻り温水ファンユニット１に三方弁１２３を設ける等して戻り温水ファンユニット１の運転がオフの時には図１１（ａ）に示される態様とし、戻り温水ファンユニット１の運転がオンの時には図１１（ｂ）に示される態様とすればよく、管路４３側から戻り温水ファンユニット１に熱媒体が導入されたときに、熱媒体は、図１１（ａ）に示される態様のときには熱交換器１０２を通らず、図１１（ｂ）に示される態様のときには熱交換器１０２を通ることになる。
【０１４３】
そのため、図１１（ａ）に示される態様と図１１（ｂ）に示される態様とでは、液体循環ポンプ６の負荷値が異なるために、熱源装置１０１の負荷値検出手段６１により液体循環ポンプ６の負荷値を検出することによって（前記実施例のように液体循環ポンプ６の駆動電流や駆動電圧から液体循環ポンプ６の負荷値を直接的に検出したり、前記のように流量から間接的に液体循環ポンプ６の負荷値を検出したりして）、稼動暖房装置判断手段６２が、戻り温水ファンユニット１の運転がオンかオフか（稼動しているか否か）の判断を行うことができる。
【０１４４】
なお、前記実施例に設けられていた管路３９を省略した場合は、戻り温水ファンユニット１の上流側の暖房装置が何れも稼動していない状態が長時間継続すると、戻り温水ファンユニット１に熱媒体の供給が滞ることになるが、短時間であれば、熱媒体の供給が滞る前に戻り温水ファンユニット１の熱交換器１０２に導入された熱媒体の熱によって保温することができる。ただし、前記実施例のように、管路３９も設けた構成とすると、戻り温水ファンユニット１の運転オンオフの判断もより確実に行えることに加え、戻り温水ファンユニット１の上流側の暖房装置が何れも稼動していない場合でも戻り温水ファンユニット１への熱媒体供給を滞りなく行うことができ、使い勝手を非常に良好にできる。
【０１４５】
また、前記実施例のように、暖房用熱交換器２８を潜熱回収用熱交換器２８ａを設けて形成する場合には、高温暖房装置１０６や温水マット１０等の暖房装置と戻り温水ファンユニット１を直列接続し、戻り温水ファンユニット１の上流側の暖房装置で熱媒体の熱を放熱した後、さらに、戻り温水ファンユニット１で放熱してから潜熱回収用熱交換器２８ａに導入すると、熱効率の向上が図れるので好ましい。
【０１４６】
さらに、前記実施例では、１つの戻り温水ファンユニット１を設けて暖房システムを形成したが、２つ以上の戻り温水ファンユニット１を設けて形成してもよいし、熱源装置１０１の液体循環通路５に接続される高温暖房装置１０６や温水マット１０の接続数や接続態様も必ずしも前記実施例と同様にするとは限らず、適宜設定されるものである。
【０１４７】
さらに、戻り温水ファンユニット１は、高温暖房装置１０６の下流側に直列接続して設け、温水マット１０の下流側に設けないようにしたり、温水マット１０の下流側に直列接続して設けて、高温暖房装置１０６の下流側設けないようにしたりしてもよい。また、複数の高温暖房装置１０６や温水マット１０がある場合には、どれか１つの下流側に戻り温水ファンユニット１を設けるだけであってもよい。ただし、いずれの場合も、戻り温水ファンユニット１を熱動弁２ｄには直接つながるようにしておき、前記実施例における４方弁３による並列接続と直列接続の切り替えとが行えるようにすることが望ましい。
【０１４８】
さらに、前記実施例では、戻り温水ファンユニット１を熱源装置１０１の制御装置６０と信号接続されない非信号接続の暖房装置としたが、非信号接続の暖房装置は必ずしも戻り温水ファンユニット１とするとは限らず、適宜設定されるものであり、非信号接続の暖房装置の熱源装置１０１の液体循環通路５との接続数や接続態様も適宜設定されるものである。
【０１４９】
さらに、熱源装置１０１の液体循環通路５には、暖房装置を接続することに加え、例えば太陽光の熱を集熱する集熱機等も接続してもよい。
【０１５０】
さらに、戻り温水ファンユニット１は、必ずしも家屋の壁１１６内のダクト１１７に接続されているとは限らず、壁１１６内の空間をダクトと見なしてこの空間内から空気の導入を行うようにしてもよい。また、このような場合等には、戻り温水ファンユニット１への空気導入は、ケース１０７の背面側から行ってもよいし、上下の少なくとも一つの面に加えて背面側からも行ってもよいし、上下の少なくとも一つの面としてもよく、適宜設定されるものである。そして、戻り温水ファンユニット１の吸気口は、その空気導入態様に対応させて適宜設ければよい。
【０１５１】
また、例えば図１２（ａ）の正面図および図１２（ｂ）、（ｃ）の断面図に示されるように、戻り温水ファンユニット１の送風口１１０が形成されているケース面をケース１０７の埋め込まれている家屋の壁１１６から露出させ、壁１１６にはケース面を囲んで縁取る縁枠部材１２４を設けて、縁枠部材１２４の少なくとも一部に穴部１２５を設け、該穴部を吸気口１０９に連通させるようにしてもよい。この場合は穴部１２５にフィルタ１１９が設けられる。なお、図１２（ｂ）には、戻り温水ファンユニット１のケース１０７を壁１１６に固定して設ける例が示されており、図１２（ｃ）には、箱状の外部ケース１２６を壁１１６に固定し、その外部ケース１２６に戻り温水ファンユニット１のケース１０７を固定して設ける例が示されている。
【０１５２】
さらに、前記実施例では、熱源装置１０１は、給湯機能と風呂の追い焚き機能と暖房機能とを備えた複合装置としたが、給湯機能や追い焚き機能を有していない装置としてもよい。
【０１５３】
さらに、本発明の暖房システムに適用される熱源装置は、例えば前記実施例で設けたガス燃焼を行うバーナの代わりに、石油燃焼用のバーナを設けてもよいし、電気ヒータのような加熱手段を設けてもよい。また、貯湯槽や太陽熱利用の集熱機を設けたりしてもよく、液体循環通路５内に循環させる液体も水とは限らず、例えば不凍液等の他の液体としてもよい。
【産業上の利用可能性】
【０１５４】
本発明の暖房システムは、例えばトイレや洗面所等の狭小空間用の暖房装置等を熱源装置と信号接続しなくても、適宜、暖房装置に暖房用の熱媒体を供給可能で、低コスト化を図れるので、例えば家庭用の熱源装置として利用できる。
【符号の説明】
【０１５５】
１                戻り温水ファンユニット
２，２ａ〜２ｄ    熱動弁
３                四方弁
５                液体循環通路
６                液体循環ポンプ
１０              温水マット
１６              暖房用バーナ
３９              管路（熱媒体直接導入通路）
６１              負荷値検出手段
６２              稼働暖房装置判断手段
６３              熱媒体供給制御手段
６６              運転オンオフ操作手段
６８              ファン駆動制御手段
６９              弁切り替え制御手段
１０１            熱源装置
１０２            熱交換器
１０３            熱媒体導入通路
１０４            導入熱媒体温度検出手段
１０５            周囲温度検出手段
１１６            壁
１１７            ダクト
１１９            フィルタ
【図１】
2016080288.tif 000003
【図２】
2016080288.tif 000004
【図３】
2016080288.tif 000005
【図４】
2016080288.tif 000006
【図５】
2016080288.tif 000007
【図６】
2016080288.tif 000008
【図７】
2016080288.tif 000009
【図８】
2016080288.tif 000010
【図９】
2016080288.tif 000011
【図１０】
2016080288.tif 000012
【図１１】
2016080288.tif 000013
【図１２】
2016080288.tif 000014